(57)【要約】  【課題】通信装置のログオフ操作の煩わしさを低減することができる技術を提供する。  【解決手段】固定ＩＰ電話機１および無線ＩＰ電話機２は、ログオン時に、ログオンしたユーザのユーザＩＤを含むログオン情報をＬＡＮ４上に同報送信する。また、ログオン状態において他の固定ＩＰ電話機１あるいは無線ＩＰ電話機２からログオン情報を受信した場合に、このログオン情報に含まれているユーザＩＤがログオン中のユーザのユーザＩＤと一致するならば、強制的にログオフする。このため、ユーザは、ログオン中の固定ＩＰ電話機１あるいは無線ＩＰ電話機２とは別の固定ＩＰ電話機１あるいは無線ＩＰ電話機２で中断した作業を再開したい場合でも、この別の固定ＩＰ電話機１あるいは無線ＩＰ電話機２にログオンすることで、作業中断前に使用していた固定ＩＰ電話機１あるいは無線ＩＰ電話機２から強制ログオフされる。【選択図】図１
2014048758.tif 000002
【特許請求の範囲】
【請求項１】
ログオン／ログオフ機能を備えた通信装置であって、
前記ログオン／ログオフ機能により任意のユーザのログオンを許可した場合に、自通信装置にログオンしているユーザに係るユーザ情報を含むログオン情報をネットワークに送信するログオン情報送信手段と、
他通信装置にログオンしているユーザに係るユーザ情報を含む前記ログオン情報を前記ネットワークから受信するログオン情報受信手段と、
前記ログオン／ログオフ機能により任意のユーザが自通信装置にログオンしている場合に、前記ログオン情報受信手段が受信した前記ログオン情報に含まれているユーザ情報により特定されるユーザが、自通信装置にログオンしているユーザならば、前記ログオン／ログオフ機能により当該ユーザを自通信装置から強制的にログオフする強制ログオフ手段と、を有する
ことを特徴とする通信装置。
【請求項２】
請求項１に記載の通信装置であって、
ユーザ毎に、当該ユーザの自通信装置へのログオン中に前記ネットワークから取得したファイルの属性情報および取得元のアドレス情報を、当該ユーザに係るユーザ情報に対応付けて記憶する属性情報記憶手段と、
前記強制ログオフ手段により自通信装置から強制的にログオフしたユーザに係るユーザ情報と、当該ユーザ情報に対応付けられて前記属性情報記憶手段に記憶されているファイルの属性情報および取得元のアドレス情報の一覧と、を含む取得一覧情報を、前記ネットワークに送信する取得一覧情報送信手段と、
他通信装置から強制的にログオフされたユーザに係るユーザ情報と、当該ユーザの他通信装置へのログオン中に他通信装置が前記ネットワークから取得したファイルの属性情報および取得元のアドレス情報の一覧と、を含む前記取得一覧情報を、前記ネットワークから受信する取得一覧情報受信手段と、
前記ログオン／ログオフ機能により任意のユーザが自通信装置にログオンしている場合に、前記取得一覧情報受信手段が当該ユーザに係るユーザ情報を含む前記取得一覧情報を受信したならば、当該取得一覧情報に含まれるファイルの属性情報のなかから、当該ユーザに係るユーザ情報に対応付けられて前記属性情報記憶手段に記憶されているファイルの属性情報以外の属性情報を抽出する属性情報抽出手段と、
前記属性情報抽出手段により抽出された属性情報を有するファイルの送信元アドレス情報を前記取得一覧情報から取得して、当該取得元のアドレス情報により特定されるサーバから当該ファイルを取得するファイル取得手段と、をさらに有する
ことを特徴とする通信装置。
【請求項３】
請求項１または２に記載の通信装置であって、
前記強制ログオフ手段によりユーザを自通信装置から強制的にログオフする際にアクセス中のサーバがあったならば、当該ユーザに係るユーザ情報と、当該サーバのアドレス情報と、を含むアクセス情報を、前記ネットワークに送信するアクセス情報送信手段と、
他通信装置から強制的にログオフされたユーザに係るユーザ情報と、他通信装置が当該ユーザを強制的にログオフする際にアクセス中であったサーバのアドレス情報と、を含む前記アクセス情報を、前記ネットワークから受信するアクセス情報受信手段と、
前記ログオン／ログオフ機能により任意のユーザが自通信装置にログオンしている場合に、前記アクセス情報受信手段が当該ユーザに係るユーザ情報を含む前記アクセス情報を受信したならば、当該アクセス情報に含まれているアドレス情報により特定されるサーバにアクセスするアクセス手段と、をさらに有する
ことを特徴とする通信装置。
【請求項４】
請求項１ないし３のいずれか一項に記載の通信装置であって、
自通信装置に対する着信を、前記強制ログオフ手段により自通信装置から強制的にログオフしたユーザに係るユーザ情報を含む前記ログオン情報の送信元へ転送するための着信転送設定を実行する着信転送設定手段をさらに有する
ことを特徴とする通信装置。
【請求項５】
請求項１ないし４のいずれか一項に記載の通信装置であって、
前記ログオン／ログオフ機能により任意のユーザが自通信装置にログオンしている場合に、前記ログオン情報受信手段が受信した前記ログオン情報に含まれているユーザ情報により特定されるユーザが、自通信装置にログオンしているユーザでないならば、自通信装置にログオンしているユーザに対して、前記ログオン情報に含まれているユーザ情報により特定されるユーザが当該ログオグ情報の送信元を利用中である旨を通知するログオン先通知手段をさらに有する
ことを特徴とする通信装置。
【発明の詳細な説明】
【技術分野】
【０００１】
本発明は、ログオン／ログオフ機能を備えた通信装置に関し、特に、通信装置のログオフ制御技術に関する。
【背景技術】
【０００２】
従来、ログオン／ログオフ機能を備えた通信装置において、ユーザは、予め設定してあるユーザのアカウント情報を用いてこの通信装置にログオンすることにより、この通信装置が提供する各種サービスを利用可能となる。ここで、ユーザが、作業を終えて通信装置から離れる際に、通信装置に対するログオフ操作を忘れると、ユーザ以外の第三者も通信装置が提供する各種サービスを利用可能となってしまう。そこで、ユーザがログオンしてから所定のタイムアウト時間の経過後に自動ログオフする通信装置がある。
【０００３】
特許文献１には、ユーザ毎に自動ログオフまでのタイムアウト時間を設定する装置が開示されている。この装置では、ユーザ毎に、ログオン／ログオフの操作状況を統計処理して、この統計値に基づき自動ログオフまでのタイムアウト時間を最適な値に設定する。
【先行技術文献】
【特許文献】
【０００４】
【特許文献１】特開２００９−１８１２５２号公報
【発明の概要】
【発明が解決しようとする課題】
【０００５】
ところで、来客、臨時会議、電話対応等の突発的な事情を含む各種の中断事由によって作業を中断した場合等において、その後、作業場所の変更等の理由により作業中断前に使用していた装置とは別の装置で作業を再開させたいことがある。この場合、特許文献１に記載の技術によれば、ユーザは、作業中断前に使用していた装置が自動ログオフ前であるならば、第三者の使用防止のためにこの装置のログオフ操作を速やかに実行しなければならず、面倒である。
【０００６】
本発明は上記事情に鑑みてなされたものであり、その目的は、通信装置のログオフ操作の煩わしさを低減することができる技術を提供することにある。
【課題を解決するための手段】
【０００７】
上記課題を解決するために、本発明のログオン／ログオフ機能を備えた通信装置は、ログオン時に、ログオンしたユーザのユーザ情報を含むログオン情報を他の通信装置に通知する。また、通信装置は、ログオン状態において他の通信装置からログオン情報を受信した場合に、このログオン情報に含まれているユーザ情報により特定されるユーザが自通信装置にログオン中のユーザであるならば、強制的にログオフする。
【０００８】
例えば、本発明は、ログオン／ログオフ機能を備えた通信装置であって、
前記ログオン／ログオフ機能により任意のユーザのログオンを許可した場合に、自通信装置にログオンしているユーザに係るユーザ情報を含むログオン情報をネットワークに送信するログオン情報送信手段と、
他通信装置にログオンしているユーザに係るユーザ情報を含む前記ログオン情報を前記ネットワークから受信するログオン情報受信手段と、
前記ログオン／ログオフ機能により任意のユーザが自通信装置にログオンしている場合に、前記ログオン情報受信手段が受信した前記ログオン情報に含まれているユーザ情報により特定されるユーザが、自通信装置にログオンしているユーザならば、前記ログオン／ログオフ機能により当該ユーザを自通信装置から強制的にログオフする強制ログオフ手段と、を有する。
【発明の効果】
【０００９】
本発明によれば、ログオン中の通信装置とは別の通信装置で中断した作業を再開したい場合でも、この別の通信装置にログオンすることで、作業中断前に使用していた通信装置から強制ログオフされる。このため、この作業中断前に使用していた通信装置のログオフ操作が不要となり、ログオフ操作の煩わしさを低減できる。
【図面の簡単な説明】
【００１０】
【図１】図１は、本発明の一実施の形態に係るＩＰ電話システムの概略構成図である。
【図２】図２は、本実施の形態に係るＩＰ電話システムの第一の動作例を説明するためのシーケンス図である。
【図３】図３は、本実施の形態に係るＩＰ電話システムの第二の動作例を説明するためのシーケンス図である。
【図４】図４は、固定ＩＰ電話機１および無線ＩＰ電話機２の概略機能構成図である。
【図５】図５は、取得一覧情報記憶部１１０の登録内容例を模式的に表した図である。
【図６】図６は、固定ＩＰ電話機１および無線ＩＰ電話機２の動作を説明するためのフロー図である。
【発明を実施するための形態】
【００１１】
以下に、本発明の一実施の形態について説明する。
【００１２】
図１は、本実施の形態に係るＩＰ電話システムの概略構成図である。
【００１３】
図示するように、本実施の形態に係るＩＰ電話システムは、複数の固定ＩＰ電話機１−１〜１−ｎ（以下、単に固定ＩＰ電話機１とも呼ぶ）と、複数の無線ＩＰ電話機２−１〜２−ｍ（以下、単に無線ＩＰ電話機２とも呼ぶ）と、固定ＩＰ電話機１および無線ＩＰ電話機２を収容するＳＩＰ（Ｓｅｓｓｉｏｎ  Ｉｎｉｔｉａｔｉｏｎ  Ｐｒｏｔｏｃｏｌ）サーバ３と、を備えて構成される。
【００１４】
固定ＩＰ電話機１およびＳＩＰサーバ３は、ＬＡＮ４に接続され、無線ＩＰ電話機２は、無線アクセスポイント（ＡＰ）５を介してＬＡＮ４に接続されている。また、ＬＡＮ４は、ゲートウェイ（ＧＷ）６を介してＷＡＮ７に接続されている。さらに、ＷＡＮ７には、ファイルサーバ８、ＡＳＰ（Ａｐｐｌｉｃａｔｉｏｎ  Ｓｅｒｖｉｃｅ  Ｐｒｏｖｉｄｅｒ）サーバ９等が接続されている。
【００１５】
固定ＩＰ電話機１および無線ＩＰ電話機２は、ＩＰ電話機能に加えて、電子メール、Ｗｅｂブラウザ、ビジネスアプリケーション、ゲームアプリケーション等のソフトウエア実行機能およびこのソフトウエア実行機能に対するログオン／ログオフ機能を有している。固定ＩＰ電話機１および無線ＩＰ電話機２は、ログオン／ログオフ機能によりログオン状態にある場合にのみ、ユーザによるソフトウエア実行機能の利用を許可し、ログオフ状態の場合は、ユーザによるソフトウエア実行機能の利用を拒否する。
【００１６】
図２は、本実施の形態に係るＩＰ電話システムの第一の動作例を説明するためのシーケンス図である。ここでは、三台の固定ＩＰ電話機１−１〜１−３および一台の無線ＩＰ電話機２−１がＳＩＰサーバ３に収容されている例を示している。
【００１７】
固定ＩＰ電話機１−１にはユーザＡがログオン中であり（Ｓ１０１）、固定ＩＰ電話機１−３にはユーザＢがログオン中であり（Ｓ１０２）、そして、固定ＩＰ電話機１−２および無線ＩＰ電話機２−１はログオフ状態にあるものとする（Ｓ１０３、Ｓ１０４）。
【００１８】
さて、固定ＩＰ電話機１−１は、ユーザＡの指示に従いファイルサーバ８にアクセスして、このファイルサーバ８から所望のファイル（データファイルまたはプログラムファイル）をダウンロードすると（Ｓ１０５）、このファイルの属性情報およびダウンロード元であるファイルサーバ８のアドレス情報を、ユーザＡのユーザＩＤに対応付けて登録する（Ｓ１０６）。なお、ファイルサーバ８アクセス用のアカウント情報が必要であったならば、このアカウント情報をアドレス情報に含める。
【００１９】
つぎに、ユーザＡは、来客、臨時会議、電話対応等の突発的な事情を含む各種の作業中断事由によって作業を中断し、その後、作業場所の変更等の理由により、作業中断前に使用していた固定ＩＰ電話機１−１ではなく、無線ＩＰ電話機２−１で作業を再開するものとする。
【００２０】
無線ＩＰ電話機２−１は、ユーザＡからログオン操作を受け付けると（Ｓ１０７）、このログオン操作を介してユーザＡより受け付けたアカウント情報（ユーザＩＤおよびパスワード）に基づいてユーザ認証を行う（Ｓ１０８）。そして、ユーザ認証に成功したならば、ユーザＡのログオンを許可する（Ｓ１０９）。それから、無線ＩＰ電話機２−１は、無線ＩＰ電話機２−１にログオンしたユーザＡのユーザＩＤを含むログオン情報をＬＡＮ４上に同報送信する（Ｓ１１０）。
【００２１】
つぎに、ログオン状態にある固定ＩＰ電話機１−３は、無線ＩＰ電話機２−１から同報送信されたログオン情報を受信し、このログオン情報に含まれているユーザＩＤが固定ＩＰ電話機１−３にログオン中のユーザＢのユーザＩＤと一致するか否かを判断する。ここで、ログオン情報に含まれているユーザＩＤはユーザＡのものであり、固定ＩＰ電話機１−３にログオン中のユーザはユーザＢであるので、両ユーザＩＤは一致しない。この場合、固定ＩＰ電話機１−３は、ログオン情報に含まれているユーザＩＤにより特定されるユーザＡが、ログオン情報の送信元である無線ＩＰ電話機２−１を使用中である旨を表示する（Ｓ１１１）。
【００２２】
また、ログオン状態にある固定ＩＰ電話機１−１は、固定ＩＰ電話機１−３と同様に、無線ＩＰ電話機２−１から同報送信されたログオン情報を受信し、このログオン情報に含まれているユーザＩＤが固定ＩＰ電話機１−１にログオン中のユーザＡのユーザＩＤと一致するか否かを判断する。ここで、ログオン情報に含まれているユーザＩＤはユーザＡのものであり、固定ＩＰ電話機１−１にログオン中のユーザはユーザＡであるので、両ユーザＩＤは一致する。この場合、固定ＩＰ電話機１−１は、ユーザＡの強制ログオフを実行する（Ｓ１１２）。それから、固定ＩＰ電話機１−１は、固定ＩＰ電話機１−１に対する着信を、ログオン情報の送信元である無線ＩＰ電話機２−１に転送するための着信転送設定要求を、ＳＩＰサーバ３に送信する（Ｓ１１３）。これを受けて、ＳＩＰサーバ３は、固定ＩＰ電話機１−１に対する着信の、無線ＩＰ電話機２−１への転送を設定する（Ｓ１１４）。
【００２３】
また、固定ＩＰ電話機１−１は、強制ログオフしたユーザＡのユーザＩＤと、このユーザＩＤに対応付けて登録されている各ファイルの属性情報およびアドレス情報と、を含む取得一覧情報を作成し（Ｓ１１５）、この取得一覧情報を、ログオン情報の送信元である無線ＩＰ電話機２−１に送信する（Ｓ１１６）。
【００２４】
つぎに、ログオン状態にある無線ＩＰ電話機２−１は、無線ＩＰ電話機２−１にログオン中のユーザＡのユーザＩＤを含む取得一覧情報を受信すると、この取得一覧情報に含まれるファイルの属性情報に基づいて、ユーザＡが固定ＩＰ電話機１−１にダウンロードしたファイルのなかから、ユーザＡが無線ＩＰ電話機２−１にダウンロードしていないファイルを抽出する（Ｓ１１７）。具体的には、取得一覧情報から、ユーザＡのユーザＩＤに対応付けられて無線ＩＰ電話機２−１に登録されているファイルの属性情報以外の属性情報およびこの属性情報に対応付けられているアドレス情報を取得する。それから、無線ＩＰ電話機２−１は、取得したアドレス情報により特定されるファイルサーバ８にアクセスして、取得した属性情報により特定されるファイルをファイルサーバ８からダウンロードする（Ｓ１１８）。このとき、アドレス情報にアカウント情報が含まれているならば、このアカウント情報を用いてファイルサーバ８にアクセスする。なお、取得一覧情報から取得した属性情報の一覧を表示し、この一覧のなかから、無線ＩＰ電話機２−１にダウンロードするファイルの属性情報をユーザＡに選択させるようにしてもよい。
【００２５】
図３は、本実施の形態に係るＩＰ電話システムの第二の動作例を説明するためのシーケンス図である。図２と同様、三台の固定ＩＰ電話機１−１〜１−３および一台の無線ＩＰ電話機２−１がＳＩＰサーバ３に収容されている例を示している。
【００２６】
固定ＩＰ電話機１−１にはユーザＡがログオン中であり（Ｓ１２１）、固定ＩＰ電話機１−３にはユーザＢがログオン中であり（Ｓ１２２）、そして、固定ＩＰ電話機１−２および無線ＩＰ電話機２−１はログオフ状態にあるものとする（Ｓ１２３、Ｓ１２４）。
【００２７】
この状態において、固定ＩＰ電話機１−１は、ユーザＡの指示に従いＡＳＰサーバ９にアクセスして、このＡＳＰサーバ９が提供するアプリケーションソフトウエアの機能を利用している（Ｓ１２５）。
【００２８】
さて、ユーザＡは、来客、臨時会議、電話対応等の突発的な事情を含む各種の中断事由によって作業を中断し、その後、作業場所の変更等の理由により、作業中断前に使用していた固定ＩＰ電話機１−１ではなく、無線ＩＰ電話機２−１で作業を再開するものとする。
【００２９】
無線ＩＰ電話機２−１は、ユーザＡからログオン操作を受け付けると（Ｓ１２６）、このログオン操作を介してユーザＡより受け付けたアカウント情報（ユーザＩＤおよびパスワード）に基づいてユーザ認証を行う（Ｓ１２７）。そして、ユーザ認証に成功したならば、ユーザＡのログオンを許可する（Ｓ１２８）。それから、無線ＩＰ電話機２−１は、無線ＩＰ電話機２−１にログオンしたユーザＡのユーザＩＤを含むログオン情報をＬＡＮ４上に同報送信する（Ｓ１２９）。
【００３０】
つぎに、ログオン状態にある固定ＩＰ電話機１−３は、無線ＩＰ電話機２−１から同報送信されたログオン情報を受信し、このログオン情報に含まれているユーザＩＤが固定ＩＰ電話機１−３にログオン中のユーザＢのユーザＩＤと一致するか否かを判断する。ここで、ログオン情報に含まれているユーザＩＤはユーザＡのものであり、固定ＩＰ電話機１−３にログオン中のユーザはユーザＢであるので、両ユーザＩＤは一致しない。この場合、固定ＩＰ電話機１−３は、ログオン情報に含まれているユーザＩＤにより特定されるユーザＡが、ログオン情報の送信元である無線ＩＰ電話機２−１を使用中である旨を表示する（Ｓ１３０）。
【００３１】
また、ログオン状態にある固定ＩＰ電話機１−１は、固定ＩＰ電話機１−３と同様に、無線ＩＰ電話機２−１から同報送信されたログオン情報を受信し、このログオン情報に含まれているユーザＩＤが固定ＩＰ電話機１−１にログオン中のユーザＡのユーザＩＤと一致するか否かを判断する。ここで、ログオン情報に含まれているユーザＩＤはユーザＡのものであり、固定ＩＰ電話機１−１にログオン中のユーザはユーザＡであるので、両ユーザＩＤは一致する。この場合、固定ＩＰ電話機１−１は、ログオン中のユーザＡのユーザＩＤと、アクセス中のＡＳＰサーバ９のアドレス情報と、を含むアクセス情報を作成する（Ｓ１３１）。なお、ＡＳＰサーバ９アクセス用のアカウント情報が必要であったならば、このアカウント情報をアドレス情報に含める。それから、固定ＩＰ電話機１−１は、ユーザＡの強制ログオフを実行する（Ｓ１３２）。
【００３２】
つぎに、固定ＩＰ電話機１−１は、固定ＩＰ電話機１−１に対する着信を、ログオン情報の送信元である無線ＩＰ電話機２−１に転送するための着信転送設定要求を、ＳＩＰサーバ３に送信する（Ｓ１３３）。これを受けて、ＳＩＰサーバ３は、固定ＩＰ電話機１−１に対する着信の、無線ＩＰ電話機２−１への転送を設定する（Ｓ１３４）。
【００３３】
また、固定ＩＰ電話機１−１は、作成したアクセス情報を、ログオン情報の送信元である無線ＩＰ電話機２−１に送信する（Ｓ１３５）。
【００３４】
つぎに、ログオン状態にある無線ＩＰ電話機２−１は、無線ＩＰ電話機２−１にログオン中のユーザＡのユーザＩＤを含むアクセス情報を受信すると、このアクセス情報に含まれるアドレス情報により特定されるＡＳＰサーバ９にアクセスする（Ｓ１３７）。ここで、アクセス情報にアカウント情報が含まれているならば、このアカウント情報を用いてＡＳＰサーバ９にアクセスする。なお、ＡＳＰサーバ９へのアクセス前に、無線ＩＰ電話機２−１がユーザＡに承認を求めるようにしてもよい。
【００３５】
つぎに、本実施の形態に係るＩＰ電話システムを構成する固定ＩＰ電話機１および無線ＩＰ電話機２の詳細を説明する。なお、ＳＩＰサーバ３には、一般的なＳＩＰサーバを利用できるので、その詳細な説明を省略する。
【００３６】
図４は、固定ＩＰ電話機１および無線ＩＰ電話機２の概略機能構成図である。
【００３７】
図示するように、固定ＩＰ電話機１および無線ＩＰ電話機２のそれぞれは、通信インターフェース部１０１と、マンマシンインターフェース部１０２と、ＩＰ電話処理部１０３と、ソフトウエア実行部１０４と、ログオン／ログオフ管理部１０５と、ログオン情報送受信部１０６と、ログオン先通知部１０７と、強制ログオフ制御部１０８と、着信転送要求部１０９と、取得一覧情報記憶部１１０と、ファイル取得管理部１１１と、取得一覧情報送受信部１１２と、アクセス管理部１１３と、アクセス情報送受信部１１４と、を備えている。
【００３８】
通信インターフェース部１０１は、他の固定ＩＰ電話機１、他の無線ＩＰ電話機２、ＳＩＰサーバ３、ファイルサーバ８、およびＡＳＰサーバ９等と通信するためのインターフェースである。自ＩＰ電話機が固定ＩＰ電話機１の場合、通信インターフェース部１０１は、ＬＡＮ４に接続するためのＬＡＮインターフェースとなり、自ＩＰ電話機が無線ＩＰ電話機２の場合、通信インターフェース部１０１は、無線ＡＰ５に接続するための無線ＬＡＮインターフェースとなる。
【００３９】
マンマシンインターフェース部１０２は、電話用のハンドセット、ユーザに各種情報を表示するためのＬＣＤ等の表示パネル、およびユーザから各種操作を受け付けるためのキーボード、タッチセンサ等の操作パネルを備える。
【００４０】
ＩＰ電話処理部１０３は、ＳＩＰに従って発着信制御を行うとともに、ＲＴＰ（Ｒｅａｌ  Ｔｉｍｅ  Ｔｒａｎｓｐｏｒｔ  Ｐｒｏｔｏｃｏｌ）に従って通話中制御を行うことにより、通信インターフェース部１０１およびマンマシンインターフェース部１０２と連携して、ＩＰ電話機能を実現する。
【００４１】
ソフトウエア実行部１０４は、ＯＳ（Ｏｐｅｒａｔｉｎｇ  Ｓｙｓｔｅｍ）に従い、電子メール、Ｗｅｂブラウザ、ビジネスアプリケーション、ゲームアプリケーション等のアプリケーションソフトを実行するソフトウエア実行機能を実現する。
【００４２】
ログオン／ログオフ管理部１０５は、ソフトウエア実行部１０４に対するログオン／ログオフを管理する。具体的には、ログオン／ログオフ管理部１０５は、ログオフ状態において、マンマシンインターフェース部１０２を介してユーザからログオン操作を受け付けた場合、このログオン操作を介してユーザより受け付けたアカウント情報を用いてユーザ認証を行う。そして、ユーザ認証に成功したならば、マンマシンインターフェース部１０２およびソフトウエア実行部１０４間の接続を有効にして、ユーザによるソフトウエア実行部１０４の利用を許可する（ログオン）。また、ログオン／ログオフ管理部１０５は、ログオン状態において、マンマシンインターフェース部１０２を介してユーザからログオフ操作を受け付けた場合、あるいは、後述する強制ログオフ制御部１０８から強制ログオフ指示を受け付けた場合、マンマシンインターフェース部１０２およびソフトウエア実行部１０４間の接続を無効にして、以後、ユーザによるソフトウエア実行部１０４の利用を拒否する（ログオフ）。
【００４３】
ログオン情報送受信部１０６は、ログオン／ログオフ管理部１０５の指示に従い、ログオンしたユーザのユーザＩＤを含むログオン情報を生成して、このログオン情報をＬＡＮ４上に同報送信する。また、ログオン情報送受信部１０６は、通信インターフェース部１０１を介して他の固定ＩＰ電話機１あるいは無線ＩＰ電話機２からログオン情報を受信した場合に、ログオン／ログオフ管理部１０５を参照し、このログオン情報に含まれているユーザＩＤが自ＩＰ電話機にログオン中のユーザのユーザＩＤと一致するか否かを判断する。そして、両ユーザＩＤが一致する場合には、このログオン情報を強制ログオフ制御部１０８に通知し、両ユーザＩＤが一致しない場合には、このログオン情報をログオン先通知部１０７に通知する。
【００４４】
ログオン先通知部１０７は、ログオン情報送受信部１０６からログオン情報を受信した場合に、このログオン情報に含まれているユーザＩＤにより特定されるユーザが、ログオン情報の送信元のＩＰ電話機（固定ＩＰ電話機１あるいは無線ＩＰ電話機２）を利用中である旨をマンマシンインターフェース部１０２に表示する。
【００４５】
強制ログオフ制御部１０８は、ログオン情報送受信部１０６からログオン情報を受信した場合に、このログオン情報に含まれているユーザＩＤにより特定されるユーザの強制ログオフをログオン／ログオフ管理部１０５に対して指示するとともに、このログオン情報を、着信転送要求部１０９、ファイル取得管理部１１１、およびアクセス管理部１１３に対して通知する。
【００４６】
着信転送要求部１０９は、強制ログオフ制御部１０８からログオン情報を受信した場合に、このログオフ情報の送信元である他の固定ＩＰ電話機１あるいは無線ＩＰ電話機２に自ＩＰ電話機に対する着信を転送するための着信転送設定要求を生成し、この着信転送設定要求を、通信インターフェース部１０１を介してＳＩＰサーバ３に送信する。
【００４７】
取得一覧情報記憶部１１０には、ユーザ毎に、ログオン中にダウンロードしたファイルの属性情報およびアドレス情報が記憶される。
【００４８】
図５は、取得一覧情報記憶部１１０の登録内容例を模式的に表した図である。
【００４９】
図示するように、取得一覧情報記憶部１１０には、自ＩＰ電話機にログオン可能なユーザ毎に、取得一覧情報のテーブル１１０１が対象ユーザのユーザＩＤ１１００に対応付けられて記憶されている。テーブル１１０１には、対象ユーザがログオン中にダウンロードしたファイルの属性情報およびアドレス情報のレコード１１０２が登録される。レコード１１０２は、ファイルの属性情報を登録するフィールド１１０３と、ファイルのダウンロード元のアドレス情報を登録するフィールド１１０４と、を有する。フィールド１１０３は、ファイル名を登録するサブフィールド１１０３１と、ファイル種別を登録するサブフィールド１１０３２と、ファイルサイズを登録するサブフィールド１１０３３と、ファイルのダウンロード日時を登録するサブフィールド１１０３４と、を有する。フィールド１１０４は、ファイルのダウンロード元のアドレス（ＵＲＬ）を登録するサブフィールド１１０４１と、ファイルのダウンロードにアカウント情報が必要な場合にそのアカウント情報を登録するサブフィールド１１０４２と、を有する。
【００５０】
ファイル取得管理部１１１は、ソフトウエア実行部１０４によるファイルサーバ８等へのアクセスを監視しており、ソフトウエア実行部１０４が通信インターフェース部１０１を介してファイルをダウンロードしたならば、ソフトウエア実行部１０４にログオン中のユーザのユーザＩＤ１１００に対応付けられているテーブル１１０１を取得一覧情報記憶部１１０から特定して、このテーブル１１０１に新たなレコード１１０２を追加する。そして、この追加したレコード１１０２のフィールド１１０３のサブフィールド１１０３１〜１１０３４に、ダウンロードされたファイルのファイル名、ファイル種別、ファイルサイズ、およびダウンロード日時を登録するとともに、フィールド１１０４のサブフィールド１１０４１、１１０４２に、ファイルのダウンロード元のアドレス、およびダウンロードにアカウント情報が必要な場合にはそのアカウント情報を登録する。
【００５１】
また、ファイル取得管理部１１１は、強制ログオフ制御部１０８からログオン情報を受信した場合に、このログオン情報に含まれているユーザＩＤと、このユーザＩＤに対応付けられて取得一覧情報記憶部１１０に記憶されたテーブル１１０１に登録されているレコード１１０２であって、サブフィールド１１０３４にログオン後の日時が登録されているレコード１１０２と、を含む取得一覧情報を生成する。そして、この取得一覧情報をログオン情報の送信元アドレスとともに取得一覧情報送受信部１１２に通知する。
【００５２】
また、ファイル取得管理部１１１は、取得一覧情報送受信部１１２から取得一覧情報を受信した場合に、この取得一覧情報に含まれるユーザＩＤに対応付けられて取得一覧情報記憶部１１０に記憶されているテーブル１１０１を特定する。そして、取得一覧情報に含まれている各レコード１１０２のなかから、特定したテーブル１１０１に登録されている各レコード１１０２のいずれとも、フィールド１１０３のサブフィールド１１０３１〜１１０３３に登録されているファイル名、ファイル種別およびファイルサイズが一致しないレコード１１０２を抽出する。それから、ファイル取得管理部１１１は、ソフトウエア実行部１０４を制御し、抽出したレコード１１０２のフィールド１１０４のサブフィールド１１０４１に登録されているアドレスにアクセスさせて、抽出したレコード１１０２のフィールド１１０３のサブフィールド１１０３１〜１１０３３に登録されているファイル名、ファイル種別およびファイルサイズにより特定されるファイルを、このアクセス先からダウンロードする。ここで、抽出したレコード１１０２のフィールド１１０４のサブフィールド１１０４２にアカウント情報が登録されているならば、このアカウント情報を用いて、抽出したレコード１１０２のフィールド１１０４のサブフィールド１１０４１に登録されているアドレスにアクセスさせ、ファイルをダウンロードする。
【００５３】
取得一覧情報送受信部１１２は、ファイル取得管理部１１１から取得一覧情報をログオン情報の送信元アドレスとともに受け取ったならば、通信インターフェース部１０１を介して、この送信元アドレスにより特定される他の固定ＩＰ電話機１あるいは無線ＩＰ電話機２に、この取得一覧情報を送信する。
【００５４】
また、取得一覧情報送受信部１１２は、通信インターフェース部１０１を介して他の固定ＩＰ電話機１あるいは無線ＩＰ電話機２から、ソフトウエア実行部１０４にログオン中のユーザのユーザＩＤを含む取得一覧情報を受信したならば、この取得一覧情報をファイル取得管理部１１１に渡す。
【００５５】
アクセス管理部１１３は、ソフトウエア実行部１０４によるＡＳＰサーバ９等へのアクセスを監視しており、強制ログオフ制御部１０８からログオン情報を受信した場合に、アクセス中のＡＳＰサーバ９等があるならば、ログオン情報に含まれているユーザＩＤと、アクセス中のＡＳＰサーバ９等のアドレス情報と、を含むアクセス情報を生成する。ここで、アクセス中のＡＳＰサーバ９等へのアクセスにアカウント情報が必要な場合には、アクセス中のＡＳＰサーバ９等のアドレスに加えて、そのアカウント情報をアドレス情報に含める。そして、このアクセス情報をログオン情報の送信元アドレスとともにアクセス情報送受信部１１４に通知する。
【００５６】
また、アクセス管理部１１３は、アクセス情報送受信部１１４からアクセス情報を受信した場合に、ソフトウエア実行部１０４を制御し、アクセス情報中のアドレス情報に含まれているアドレスにアクセスさせる。ここで、アドレス情報にアカウント情報が含まれているならば、このアカウント情報を用いてアクセスさせる。
【００５７】
アクセス情報送受信部１１４は、アクセス管理部１１３からアクセス情報をログオン情報の送信元アドレスとともに受け取ったならば、通信インターフェース部１０１を介して、この送信元アドレスにより特定される他の固定ＩＰ電話機１あるいは無線ＩＰ電話機２に、このアクセス情報を送信する。
【００５８】
また、アクセス情報送受信部１１４は、通信インターフェース部１０１を介して他の固定ＩＰ電話機１あるいは無線ＩＰ電話機２から、ソフトウエア実行部１０４にログオン中のユーザのユーザＩＤを含むアクセス情報を受信したならば、このアクセス情報をアクセス管理部１１３に渡す。
【００５９】
図６は、固定ＩＰ電話機１および無線ＩＰ電話機２の動作を説明するためのフロー図である。
【００６０】
ログオン／ログオフ管理部１０５は、マンマシンインターフェース部１０２を介してユーザからログオン操作を受け付けると（Ｓ２００でＹＥＳ）、このログオン操作を介してユーザより受け付けたアカウント情報に基づいてユーザ認証を行う（Ｓ２０１）。具体的には、ユーザより受け付けたアカウント情報が、ログオンを許可するユーザのアカウント情報として予め登録されているか否かを判断する。そして、ユーザ認証に失敗したならば（Ｓ２０２でＮＯ）、その旨をマンマシンインターフェース部１０２に表示するなどの所定のエラー処理を行い、それからＳ２００に戻って、新たなログオン操作を待つ。
【００６１】
一方、ユーザ認証に成功した場合（Ｓ２０２でＹＥＳ）、ログオン／ログオフ管理部１０５は、ユーザのログオンを許可する（Ｓ２０３）。これにより、ユーザによるソフトウエア実行部１０４の利用が可能になる。
【００６２】
つぎに、ログオン／ログオフ管理部１０５は、ログオン情報送受信部１０６に対して、ログオンしたユーザのユーザＩＤを通知してログオン情報の送信を指示する。これを受けて、ログオン情報送受信部１０６は、ログオンしたユーザのユーザＩＤを含むログオン情報を生成して、このログオン情報をＬＡＮ４上に同報送信する（Ｓ２０４）。
【００６３】
つぎに、取得一覧情報送受信部１１２は、ログオン／ログオフ管理部１０５によってユーザのログオンが許可されてから所定時間の経過によりタイムアウトするまでの間（Ｓ２１１）、通信インターフェース部１０１を介して他の固定ＩＰ電話機１あるいは無線ＩＰ電話機２から、ログオン中のユーザのユーザＩＤを含む取得一覧情報が送られてくるのを待つ（Ｓ２０５）。そして、取得一覧情報送受信部１１２は、ログオン中のユーザのユーザＩＤを含む取得一覧情報を受信したならば（Ｓ２０５でＹＥＳ）、この取得一覧情報をファイル取得管理部１１１に渡す。
【００６４】
これを受けて、ファイル取得管理部１１１は、この取得一覧情報を用いて、ログオン中のユーザがログオン前に使用していた他の固定ＩＰ電話機１あるいは無線ＩＰ電話機２にダウンロードしたファイルのなかから、自ＩＰ電話機において未ダウンロードのファイルを特定する（Ｓ２０６）。具体的には、ログオン中のユーザＩＤに対応付けられて取得一覧情報記憶部１１０に記憶されたテーブル１１０１を特定して、取得一覧情報に含まれている各レコード１１０２のなかから、特定したテーブル１１０１に登録されている各レコード１１０２のいずれとも、フィールド１１０３のサブフィールド１１０３１〜１１０３３に登録されているファイル名、ファイル種別およびファイルサイズが一致しないレコード１１０２を抽出する。
【００６５】
つぎに、ファイル取得管理部１１１は、ソフトウエア実行部１０４を制御し、抽出したレコード１１０２のフィールド１１０４のサブフィールド１１０４１に登録されているアドレスにアクセスさせて、抽出したレコード１１０２のフィールド１１０３のサブフィールド１１０３１〜１１０３３に登録されているファイル名、ファイル種別およびファイルサイズにより特定されるファイルを、このアクセス先からダウンロードする（Ｓ２０７）。ここで、抽出したレコード１１０２のフィールド１１０４のサブフィールド１１０４２にアカウント情報が登録されているならば、このアカウント情報を用いて、抽出したレコード１１０２のフィールド１１０４のサブフィールド１１０４１に登録されているアドレスにアクセスさせて、ファイルをダウンロードする。
【００６６】
同様に、アクセス情報送受信部１１４は、ログオン／ログオフ管理部１０５によってユーザのログオンが許可されてから所定時間の経過によりタイムアウトするまでの間（Ｓ２１１）、通信インターフェース部１０１を介して他の固定ＩＰ電話機１あるいは無線ＩＰ電話機２から、ログオン中のユーザのユーザＩＤを含むアクセス情報が送られてくるのを待つ（Ｓ２０９）。そして、アクセス情報送受信部１１４は、ログオン中のユーザのユーザＩＤを含むアクセス情報を受信したならば（Ｓ２０９でＹＥＳ）、このアクセス情報をアクセス管理部１１３に渡す。これを受けて、アクセス管理部１１３は、ソフトウエア実行部１０４を制御し、アクセス情報中のアドレス情報に含まれているアドレスにアクセスさせる（Ｓ２１０）。ここで、アドレス情報にアカウント情報が含まれているならば、このアカウント情報を用いてアクセスさせる。
【００６７】
さて、ファイル取得管理部１１１は、ソフトウエア実行部１０４によるファイルサーバ８等へのアクセスを監視しており、ソフトウエア実行部１０４が通信インターフェース部１０１を介してファイルをダウンロードしたならば（Ｓ２１２でＹＥＳ）、ダウンロードしたファイルに基づいて、ログオン中のユーザのユーザＩＤ１１００に対応付けられて取得一覧情報記憶部１１０に記憶されているテーブル１１０１を更新する（Ｓ２１３）。具体的には、このテーブル１１０１に新たなレコード１１０２を追加し、このレコード１１０２のフィールド１１０３のサブフィールド１１０３１〜１１０３４に、ダウンロードされたファイルのファイル名、ファイル種別、ファイルサイズ、およびダウンロード日時を登録するとともに、フィールド１１０４のサブフィールド１１０４１、１１０４２に、ファイルのダウンロード元のアドレス、およびダウンロードにアカウント情報が必要な場合にはそのアカウント情報を登録する。
【００６８】
また、ログオン情報送受信部１０６は、通信インターフェース部１０１を介して他の固定ＩＰ電話機１あるいは無線ＩＰ電話機２からログオン情報を受信したならば（Ｓ２１４でＹＥＳ）、ログオン／ログオフ管理部１０５を参照し、このログオン情報に含まれているユーザＩＤがログオン中のユーザのユーザＩＤと一致するか否かを判断する（Ｓ２１５）。そして、受信したログオン情報に含まれているユーザＩＤがログオン中のユーザのユーザＩＤと一致しない場合には（Ｓ２１５でＮＯ）、このログオン情報をログオン先通知部１０７に通知する。これを受けて、ログオン先通知部１０７は、このログオン情報に含まれているユーザＩＤにより特定されるユーザが、ログオン情報の送信元のＩＰ電話機（固定ＩＰ電話機１あるいは無線ＩＰ電話機２）を利用中である旨をマンマシンインターフェース部１０２に表示する（Ｓ２２２）。
【００６９】
一方、受信したログオン情報に含まれているユーザＩＤがログオン中のユーザのユーザＩＤと一致する場合（Ｓ２１５でＹＥＳ）、ログオン情報送受信部１０６は、このログオン情報を強制ログオフ制御部１０８に通知する。これを受けて、強制ログオフ制御部１０８は、ログオン／ログオフ管理部１０５に対して、このログオン情報に含まれているユーザＩＤにより特定されるユーザの強制ログオフを指示するとともに、着信転送要求部１０９、ファイル取得管理部１１１、およびアクセス管理部１１３に対して、このログオン情報を通知する。
【００７０】
つぎに、ログオン／ログオフ管理部１０５は、強制ログオフ制御部１０８の指示に従い、ユーザの強制ログオフを実行する（Ｓ２１６）。これにより、ユーザによるソフトウエア実行部１０４の利用が不可能になる。
【００７１】
つぎに、着信転送要求部１０９は、ＩＰ電話機に対する着信を、強制ログオフ制御部１０８から受信したログオフ情報の送信元である他の固定ＩＰ電話機１あるいは無線ＩＰ電話機２に転送するための着信転送設定要求を生成し、この着信転送設定要求を、通信インターフェース部１０１を介してＳＩＰサーバ３に送信する（Ｓ２１７）。
【００７２】
つぎに、ファイル取得管理部１１１は、強制ログオフ制御部１０８から受信したログオン情報に含まれているユーザＩＤにより特定されるユーザがログオン中にファイルをダウンロードしたか否かを判断する（Ｓ２１８）。具体的には、このユーザＩＤに対応付けられて取得一覧情報記憶部１１０に記憶されているテーブル１１０１に、ログオン後の日時がフィールド１１０３のサブフィールド１１０３４に登録されているレコード１１０２が登録されている場合に、ログオン中にファイルをダウンロードしたものと判断する。そして、ログオン中にファイルをダウンロードしている場合には（Ｓ２１８でＹＥＳ）、このテーブル１１０１に対応付けられているユーザＩＤと、このテーブル１１０１に登録されているレコード１１０２であって、ログオン後の日時がフィールド１１０３のサブフィールド１１０３４に登録されているレコード１１０２と、を含む取得一覧情報を生成する。そして、この取得一覧情報をログオン情報の送信元アドレスとともに取得一覧情報送受信部１１２に通知する。これを受けて、取得一覧情報送受信部１１２は、通信インターフェース部１０１を介して、この送信元アドレスにより特定される他の固定ＩＰ電話機１あるいは無線ＩＰ電話機２に、この取得一覧情報を送信する（Ｓ２１９）。
【００７３】
つぎに、アクセス管理部１１３は、強制ログオフ制御部１０８から受信したログオン情報に含まれるユーザＩＤにより特定されるユーザの指示に従い、強制ログオフされるまでＡＳＰサーバ９等にアクセス中であったか否かを判断する（Ｓ２２０）。そして、ＡＳＰサーバ９等にアクセス中であった場合には（Ｓ２２０でＹＥＳ）、このユーザＩＤと、アクセス中のＡＳＰサーバ９等のアドレス情報と、を含むアクセス情報を生成して、このアクセス情報をログオン情報の送信元アドレスとともに、アクセス情報送受信部１１４に通知する。これを受けて、アクセス情報送受信部１１４は、通信インターフェース部１０１を介して、この送信元アドレスにより特定される他の固定ＩＰ電話機１あるいは無線ＩＰ電話機２に、このアクセス情報を送信する（Ｓ２２１）。その後、Ｓ２００に戻って、新たなログオン操作を待つ。
【００７４】
また、ログオン／ログオフ管理部１０５は、ユーザのログオン中に、マンマシンインターフェース部１０２を介してユーザからログオフ操作を受け付けると（Ｓ２２３でＹＥＳ）、ユーザのログオフを実行する（Ｓ２２４）。これにより、ユーザによるソフトウエア実行部１０４の利用が不可能になる。その後、Ｓ２００に戻って、新たなログオン操作を待つ。
【００７５】
以上、本発明の一実施の形態を説明した。
【００７６】
本実施の形態において、固定ＩＰ電話機１および無線ＩＰ電話機２は、ログオン時に、ログオンしたユーザのユーザＩＤを含むログオン情報をＬＡＮ４上に同報送信する。また、ログオン状態において他の固定ＩＰ電話機１あるいは無線ＩＰ電話機２からログオン情報を受信した場合に、このログオン情報に含まれているユーザＩＤがログオン中のユーザのユーザＩＤと一致するならば、強制的にログオフする。このため、本実施の形態によれば、ユーザが、ログオン中の固定ＩＰ電話機１あるいは無線ＩＰ電話機２とは別の固定ＩＰ電話機１あるいは無線ＩＰ電話機２で中断した作業を再開させたい場合でも、この別の固定ＩＰ電話機１あるいは無線ＩＰ電話機２にログオンすることで、作業中断前に使用していた固定ＩＰ電話機１あるいは無線ＩＰ電話機２から強制ログオフされる。したがって、この作業中断前に使用していた固定ＩＰ電話機１あるいは無線ＩＰ電話機２のログオフ操作が不要となり、ログオフ操作の煩わしさを低減できる。また、作業を行っていた固定ＩＰ電話機１あるいは無線ＩＰ電話機２からのログオフをユーザが忘れてしまっていても、いずれか別の固定ＩＰ電話機１あるいは無線ＩＰ電話機２にログオンすれば、作業を行っていた固定ＩＰ電話機１あるいは無線ＩＰ電話機２から自動的にログオフされるため、作業を行っていない固定ＩＰ電話機１あるいは無線ＩＰ電話機２がログオン状態のまま放置されることを防止できる。
【００７７】
また、本実施の形態において、固定ＩＰ電話機１および無線ＩＰ電話機２は、ログオン中にファイルサーバ８等からダウンロードしたファイルの属性情報およびダウンロード元のアドレス情報を、ユーザのユーザＩＤに対応付けて取得一覧情報記憶部１１０に記憶する。そして、他の固定ＩＰ電話機１あるいは無線ＩＰ電話機２から受信したログオン情報に基づきユーザの強制ログオフを実行した場合に、このユーザのユーザＩＤと、このユーザＩＤに対応付けられて取得一覧情報記憶部１１０に記憶されているファイルの属性情報およびアドレス情報の一覧と、を含む取得一覧情報を生成し、この取得一覧情報をログオン情報の送信元に送信する。また、固定ＩＰ電話機１および無線ＩＰ電話機２は、ユーザのログオン中に、このユーザのユーザＩＤを含む取得一覧情報を受信したならば、この取得一覧情報に含まれるファイルの属性情報と、このユーザのユーザＩＤに対応付けられて取得一覧情報記憶部１１０に記憶されたファイルの属性情報とを用いて、自ＩＰ電話機１、２へのログオン前にユーザが使用していた他の固定ＩＰ電話機１あるいは無線ＩＰ電話機２にダウンロードされたファイルのうち、自ＩＰ電話機１、２にダウンロードされていないファイルを特定し、このファイルを自動でダウンロードする。
【００７８】
したがって、本実施の形態によれば、作業中断前に使用していた固定ＩＰ電話機１あるいは無線ＩＰ電話機２とは別の固定ＩＰ電話機１あるいは無線ＩＰ電話機２を用いて作業を再開させる場合における作業準備の負担をより軽減できる。
【００７９】
また、本実施の形態において、固定ＩＰ電話機１および無線ＩＰ電話機２は、他の固定ＩＰ電話機１あるいは無線ＩＰ電話機２から受信したログオン情報に基づきユーザの強制ログオフを実行した場合に、アクセス中のＡＳＰサーバ９等があったならば、このユーザのユーザＩＤと、アクセス中であったＡＳＰサーバ９等のアドレス情報と、を含むアクセス情報を生成し、このアクセス情報をログオン情報の送信元に送信する。また、固定ＩＰ電話機１および無線ＩＰ電話機２は、ユーザのログオン中に、このユーザのユーザＩＤを含むアクセス情報を受信したならば、このアクセス情報に含まれるアドレス情報により特定されるＡＳＰサーバ９等にアクセスする。
【００８０】
したがって、本実施の形態によれば、ユーザが、作業中断前に使用していた固定ＩＰ電話機１あるいは無線ＩＰ電話機２とは別の固定ＩＰ電話機１あるいは無線ＩＰ電話機２を用いて作業を再開する場合における作業準備の負担をより軽減できる。
【００８１】
また、本実施の形態において、固定ＩＰ電話機１および無線ＩＰ電話機２は、他の固定ＩＰ電話機１あるいは無線ＩＰ電話機２から受信したログオン情報に基づきユーザの強制ログオフを実行した場合に、ＳＩＰサーバ３に対して、自ＩＰ電話機１、２に対する着信を、このログオン情報の送信元である他の固定ＩＰ電話機１あるいは無線ＩＰ電話機２へ転送するための着信転送設定要求を送信する。
【００８２】
したがって、本実施の形態によれば、ユーザが、作業中断前に使用していた固定ＩＰ電話機１あるいは無線ＩＰ電話機２とは別の固定ＩＰ電話機１あるいは無線ＩＰ電話機２を用いて作業を再開する場合における利便性を向上させることができる。
【００８３】
また、本実施の形態において、固定ＩＰ電話機１および無線ＩＰ電話機２は、ログオン中に、ログオンしているユーザ以外のユーザのユーザＩＤを含むログオン情報を他の固定ＩＰ電話機１あるいは無線ＩＰ電話機２から受信した場合に、このログオン情報に含まれているユーザＩＤにより特定されるユーザが、このログオグ情報の送信元である他の固定ＩＰ電話機１あるいは無線ＩＰ電話機２を使用中である旨を表示する。
【００８４】
したがって、本実施の形態によれば、固定ＩＰ電話機１および無線ＩＰ電話機２のユーザは、他のユーザがどの固定ＩＰ電話機１あるいは無線ＩＰ電話機２を使用して作業をしているかを即座に知ることができる。また、他のユーザは、例えば、あるユーザの机の上にある固定ＩＰ電話機１の電話機能を利用可能になったことを知ることができる。
【００８５】
なお、本発明は上記の実施の形態に限定されるものではなく、その要旨の範囲内で数々の変形が可能である。
【００８６】
例えば、固定ＩＰ電話機１および無線ＩＰ電話機２において、ログオン種別を複数設け（例えばプライベートモードおよびオフィシャルモード）、ログオン／ログオフ管理部１０５に、各ユーザのログオン種別毎にログオン／ログオフを管理させてもよい。そして、他の固定ＩＰ電話機１および無線ＩＰ電話機２との間で送受信するログオン情報にログオン種別を含め、ログオン状態において他の固定ＩＰ電話機１あるいは無線ＩＰ電話機２からログオン情報を受信したならば、このログオン情報に含まれているユーザＩＤがログオン中のユーザのユーザＩＤと一致し、且つこのログオン情報に含まれるログオン種別がログオン中のユーザのログオン種別と一致する場合にのみ、強制的にログオフする。このようにすることで、ユーザは、例えば固定ＩＰ電話機１にオフィシャルモードでログオンし、無線ＩＰ電話機２にプライベートモードでログオンするなど、ログオン種別を使い分けることで複数のＩＰ電話機１、２を同時に利用可能となり、使い勝手が向上する。
【００８７】
なお、この場合において、固定ＩＰ電話機１および無線ＩＰ電話機２は、ログオン中に、ログオンしているユーザ以外のユーザのユーザＩＤを含むログオン情報を他の固定ＩＰ電話機１あるいは無線ＩＰ電話機２から受信したならば、このログオン情報に含まれているユーザＩＤにより特定されるユーザが、このログオン情報に含まれているログオン種別で、このログオグ情報の送信元のＩＰ電話機１、２を使用中である旨を表示してもよい。このようにすることにより、ユーザは、通話相手の連絡先をログオン種別で判断することが可能となり、使い勝手が向上する。
【００８８】
また、この場合において、固定ＩＰ電話機１および無線ＩＰ電話機２は、ログオン中のユーザがダウンロードしたファイルの属性情報およびダウンロード元のアドレス情報を、ユーザのユーザＩＤおよびログオン種別に対応付けて取得一覧情報記憶部１１０に記憶する。そして、他の固定ＩＰ電話機１あるいは無線ＩＰ電話機２から受信したログオン情報に基づきユーザの強制ログオフを実行した場合に、このユーザのユーザＩＤおよびログオン種別と、このユーザＩＤおよびログオン種別に対応付けられて取得一覧情報記憶部１１０に記憶されているファイルの属性情報およびアドレス情報の一覧と、を含む取得一覧情報を生成し、この取得一覧情報をログオン情報の送信元に送信する。また、固定ＩＰ電話機１および無線ＩＰ電話機２は、ユーザのログオン中に、このユーザのユーザＩＤを含み、且つ自ＩＰ電話機１、２と同じログオン種別を含む取得一覧情報を受信したならば、この取得一覧情報に含まれているファイルの属性情報と、このユーザのユーザＩＤおよびログオン種別に対応付けられて取得一覧情報記憶部１１０に記憶されているファイルの属性情報とを用いて、自ＩＰ電話機１、２へのログオン前にユーザが同一ログオン種別で使用していた他の固定ＩＰ電話機１あるいは無線ＩＰ電話機２にダウンロードされたファイルのうち、自ＩＰ電話機１、２にダウンロードされていないファイルを特定し、この特定したファイルを自動でダウンロードする。
【００８９】
また、この場合において、固定ＩＰ電話機１および無線ＩＰ電話機２は、他の固定ＩＰ電話機１あるいは無線ＩＰ電話機２から受信したログオン情報に基づきユーザの強制ログオフを実行した場合に、アクセス中のＡＳＰサーバ９等があったならば、このユーザのユーザＩＤおよびログオン種別と、アクセス中であったＡＳＰサーバ９等のアドレス情報と、を含むアクセス情報を生成し、このアクセス情報をログオン情報の送信元に送信する。また、固定ＩＰ電話機１および無線ＩＰ電話機２は、ユーザのログオン中に、このユーザのユーザＩＤを含み、且つ自ＩＰ電話機１、２と同じログオン種別を含むアクセス情報を受信したならば、このアクセス情報に含まれているアドレス情報により特定されるＡＳＰサーバ９等にアクセスする。
【００９０】
また、上記の実施の形態では、ログオン情報の送受信をＩＰ電話機１、２間で直接行っているが、本発明はこれに限定されない。例えば、ＩＰ電話機１、２のプレゼンスを管理するプレゼンスサーバ等を介して、ＩＰ電話機１、２間でログオン情報の送受信を行うようにしてもよい。
【００９１】
また、ユーザの強制ログオフを実行する固定ＩＰ電話機１および無線ＩＰ電話機２は、ユーザの強制ログオフを実行する旨をログオン情報の送信元のＩＰ電話機１、２にユーザの強制ログオフの実行前に通知し、ログオン情報の送信元のＩＰ電話機１、２は、その旨を表示するようにしてもよい。
【００９２】
また、上記の実施の形態において、図４に示す固定ＩＰ電話機１および無線ＩＰ電話機２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００９３】
また、上記の実施の形態では、本発明を固定ＩＰ電話機および無線ＩＰ電話機に適用した場合を例にとり説明したが、本発明は、固定電話機、無線電話機を含む、ログオン／ログオフ機能を備えた様々な通信装置に適用可能である。
【符号の説明】
【００９４】
１、１−１〜１−ｎ：固定ＩＰ電話機、  ２、２−１〜２−ｍ：無線ＩＰ電話機、  ３：ＳＩＰサーバ、  ４：ＬＡＮ、  ５：無線アクセスポイント、  ６：ゲートウェイ、  ７：ＷＡＮ、  ８：ファイルサーバ、  ９：ＡＳＰサーバ、  １０１：通信インターフェース部、  １０２：マンマシンインターフェース部、  １０３：ＩＰ電話処理部、  １０４：ソフトウエア実行部、  １０５：ログオン／ログオフ管理部、  １０６：ログオン情報送受信部、  １０７：ログオン先通知部、  １０８：強制ログオフ制御部、  １０９：着信転送要求部、  １１０：取得一覧情報記憶部、  １１１：ファイル取得管理部、  １１２：取得一覧情報送受信部、  １１３：アクセス管理部、  １１４：アクセス情報送受信部
【図１】
2014048758.tif 000003
【図２】
2014048758.tif 000004
【図３】
2014048758.tif 000005
【図４】
2014048758.tif 000006
【図５】
2014048758.tif 000007
【図６】
2014048758.tif 000008